(57)【要約】【課題】折戸の戸先側に引戸を設けた建具において、使い勝手の良い建具を提供する。【解決手段】  折戸７の戸先側に引戸９が連結してあると共に折戸７の戸先側部１５に折戸７を室内側に回動する折戸回動軸１７を有し、蹴り出し機構１１はハンドル２１と蹴り出しアーム２３とを有し、蹴り出しアーム２３には戸尻側に垂直軸３５が設けてあり、この戸尻側垂直軸３５は折戸回動軸１７よりも戸尻側に位置して折戸７に取り付けてあり、蹴り出しアーム２３の戸先側はハンドル２１に連動するものであり、ハンドル２１を戸尻側に動かしたときに、蹴り出しアーム２３の引戸側端部３４を戸尻側に押して、折戸７が室内側に回動し、ハンドル２１を戸先側に動かしたときに、蹴り出しアーム２３の引戸側端部３４を戸先側に引いて折戸７が室外側に回動する。【選択図】図１
2015105474.tif 000002
【特許請求の範囲】
【請求項１】
折戸と、引戸と、蹴り出し機構とを備え、折戸の戸先側に引戸が連結してあると共に折戸の戸先側部に折戸を室内側に回動する折戸回動軸を有し、蹴り出し機構はハンドルと蹴り出しアームとを有し、蹴り出しアームには戸尻側に垂直軸が設けてあり、この戸尻側垂直軸は折戸回動軸よりも戸尻側に位置して折戸に取り付けてあり、ハンドルを戸尻側に動かしたときに蹴り出しアームの引戸側端部を戸尻側に押すことで、折戸を室内側に回動させることを特徴とする建具。
【請求項２】
折戸と、引戸と、蹴り出し機構とを備え、折戸の戸先側に引戸が連結してあると共に折戸の戸先側部に折戸を室内側に回動する折戸回動軸を有し、蹴り出し機構はハンドルと蹴り出しアームとを有し、蹴り出しアームには戸尻側に垂直軸が設けてあり、この戸尻側垂直軸は折戸回動軸よりも戸尻側に位置して折戸に取り付けてあり、蹴り出しアームの戸先側はハンドルに連動するものであり、ハンドルを戸尻側に動かしたときに、蹴り出しアームの引戸側端部を戸尻側に押して、折戸が室内側に回動し、ハンドルを戸先側に動かしたときに、蹴り出しアームの引戸側端部を戸先側に引いて折戸が室外側に回動することを特徴とする建具。
【発明の詳細な説明】
【技術分野】
【０００１】
本発明は、折戸と引戸を備える建具に関する。
【背景技術】
【０００２】
図９に示すように、折戸７１の戸先側に引戸７３を備えた建具は、全閉時だけでなく、全開時においても、引戸に設けた取手７５が常に見付け方向を向いており、開閉操作が容易であることから、最近用いられている。
【先行技術文献】
【特許文献】
【０００３】
【特許文献１】なし
【発明の概要】
【発明が解決しようとする課題】
【０００４】
しかし、この種の建具において、開閉がより軽く且つスムーズに開閉できる、使い勝手の良いものが求められていた。
【０００５】
そこで、本発明は、折戸の戸先側に引戸を設けた建具において、使い勝手の良い建具の提供を目的とする。
【課題を解決するための手段】
【０００６】
請求項１に記載の発明は、折戸と、引戸と、蹴り出し機構とを備え、折戸の戸先側に引戸が連結してあると共に折戸の戸先側部に折戸を室内側に回動する折戸回動軸を有し、蹴り出し機構はハンドルと蹴り出しアームとを有し、蹴り出しアームには戸尻側に垂直軸が設けてあり、この戸尻側垂直軸は折戸回動軸よりも戸尻側に位置して折戸に取り付けてあり、ハンドルを戸尻側に動かしたときに蹴り出しアームの引戸側端部を戸尻側に押すことで、折戸を室内側に回動させることを特徴とする建具である。
【０００７】
請求項２に記載の発明は、折戸と、引戸と、蹴り出し機構とを備え、折戸の戸先側に引戸が連結してあると共に折戸の戸先側部に折戸を室内側に回動する折戸回動軸を有し、蹴り出し機構はハンドルと蹴り出しアームとを有し、蹴り出しアームには戸尻側に垂直軸が設けてあり、この戸尻側垂直軸は折戸回動軸よりも戸尻側に位置して折戸に取り付けてあり、蹴り出しアームの戸先側はハンドルに連動するものであり、ハンドルを戸尻側に動かしたときに、蹴り出しアームの引戸側端部を戸尻側に押して、折戸が室内側に回動し、ハンドルを戸先側に動かしたときに、蹴り出しアームの引戸側端部を戸先側に引いて折戸が室外側に回動することを特徴とする建具である。
【発明の効果】
【０００８】
請求項１及び２に記載の発明によれば、蹴り出し機構の蹴り出しアームの戸尻側垂直軸が、折戸回動軸よりも戸尻側に位置して折戸に取り付けてあるので、ハンドルを戸尻側に動かしたときに、蹴り出しアームの引戸側端部を戸尻側に押すことで、折戸を室内側に回動させているので、折戸の開きアシストをハンドルで操作できる。
これにより、閉状態にある戸を開くときには、ハンドルを戸尻側に向けて動かす力のみで折戸を室内側に回動できるから、ハンドルを戸の面内方向に動かす操作のみで折戸を折り畳むことができ、使い勝手が良い。
【０００９】
請求項２に記載の発明によれば、請求項１の効果に加えて、開状態にある戸を閉じるときには、ハンドルを戸先側に動かすことで、蹴り出しアームの引戸側端部を戸先側に引いて折戸を室外側に回動させるので、折戸の折り畳みを戻して閉じ切ることをハンドルで操作できる。
【図面の簡単な説明】
【００１０】
【図１】本発明の第１実施の形態にかかる建具において折戸と引戸の連結部を示す横断面図であって、（ａ）は戸の閉状態、（ｂ）は戸を閉状態から開状態に至る途中の状態、（ｃ）は戸の開状態の図である。
【図２】図１に示す蹴り出し機構の斜視図である。
【図３】図１（ａ）に示すＡ−Ａ断面図である。
【図４】図１に示す折戸と引戸の連結部を示す図であり、（ａ）は戸が閉状態にあるときの横断面図であり、（ｂ）は（ａ）に示すＢ−Ｂ断面図、（ｃ）は戸が開状態にあるときの横断面図であり、（ｄ）は（ｃ）に示すＣ−Ｃ断面図である。
【図５】本発明の第１実施の形態にかかる建具の横断面図であり、（ａ）は戸の閉状態、（ｂ）は戸を閉状態から開状態に至る途中の状態であり、（ｃ）は戸の開状態の図である。
【図６】本発明の第２実施の形態にかかる建具における折戸と引戸の連結部を示す図であり、（ａ）は戸が閉状態にあるときの横断面図であり、（ｂ）は（ａ）に示すＥ−Ｅ断面図、（ｃ）は戸が開状態にあるときの横断面図であり、（ｄ）は（ｃ）に示すＦ−Ｆ断面図である。
【図７】図６に示す引戸側カバーの図であり、（ａ）は平面図、（ｂ）は正面図である。
【図８】図６に示す折戸側カバーの図であり、（ａ）は平面図、（ｂ）は正面図、（ｃ）は左側面図である。
【図９】従来の建具であって、開き状態にあるときの横断面図である。
【発明を実施するための形態】
【００１１】
以下に、本発明の実施の形態を説明するが、まず、図１〜図５を参照して本発明の第１実施の形態を説明する。図５に示すように、第１実施の形態に係る建具１は、浴室戸であり、枠３と戸５とを備えており、図５及び図１に示すように、戸５は、折戸７と、引戸９と、蹴り出し機構１１とを有している。
図５に示すように、折戸７は、戸先側折戸７ａと戸尻側折戸７ｂを有し、戸先側折戸７ａの戸尻側部と戸尻側折戸７ｂの戸先側部とが各々折戸連結部１３に回動自在に連結されている。
戸先側折戸７ａの戸先側には引戸９が戸先側折戸７ａに対して相対的に回動可能に連結してある。
図１（ａ）に示すように、戸先側折戸７ａの戸先側部１５には、戸先側折戸７ａを室内側に回動する折戸回動軸１７が設けてある。尚、図５に示すように、戸尻側折戸７ｂの戸尻側部１９にも戸尻側折戸７ｂを室内側に回動する回動軸２０が設けてある。折戸回動軸１７は、戸先側折戸の上端と下端に設けたピボットヒンジである。
図５（ａ）に示すように、戸５の閉じ状態において、折戸７の上端には戸先側折戸７ａの左右方向中間位置と戸尻側折戸７ｂの左右方向中間位置とに各々ローララッチ２２が設けてあり、上枠には対応する位置にローララッチガイド２４が設けてあり、ローララッチ２２とローララッチガイド２４とを係合して閉じ切りするようにしてある。尚、図５（ｂ）（ｃ）では、ローララッチガイド２４は省略して示している。
【００１２】
図１に示すように、蹴り出し機構１１は、ハンドル２１と、蹴り出しアーム２３とを有し、ハンドル２１と蹴り出しアーム２３とは連結アーム２５により連結してある。
図２〜図４に示すように、ハンドル２１は、引戸９の戸尻側部２９の室内側と室外側とに各々設けてあり、室内側と室外側の各ハンドル２１の基端部２１ａはハンドル水平軸２７（図３参照）により互いに連動するように連結されている。この水平軸２７は角軸である。
引戸９の戸尻側部２９にはその室外側に連結アーム２５の収納ボックス３１が取り付けてあり、この収納ボックス３１内で連結アーム２５の基端部２５ａとハンドル水平軸２７とが固定してあり、ハンドル２１の回動に伴って連結アーム２５が戸５の面内方向に回動するようになっている。
図４（ｂ）に示すように、戸５が閉じているときには、連結アーム２５の先端部２５ｂは収納ボックス３１内に納まっており、図４（ｄ）に示すように、戸５を開くときには、ハンドル２１の回動に伴って、連結アーム２５の先端部２５ｂが戸尻側に回動して、収納ボックス３１から戸尻側へ飛び出して位置するようになっている。図２及び図３に示すように、連結アーム２５は、室外側と室内側とで互いに平行に延出する２枚のアーム板２５ｃ、２５ｃで構成してある。
【００１３】
図１及び図２に示すように、蹴り出しアーム２３は、折戸側端部３２と、引戸側端部３４とを有し、折戸側端部３２には戸尻側垂直軸３５が設けてあり、引戸側端部３４には引戸側垂直軸３７と連結アーム連動部３９とが設けてある。
蹴り出しアーム２３は、平面視「へ」の字形状に形成した板状部材であり、戸尻側垂直軸３５の上端と下端とは戸先側折戸７ａの室外側見付け面に固定した軸取付金具４０に回動自在に取り付けてある。
蹴り出しアーム２３の引戸側端部３４には、引戸側垂直軸３７が回動自在に設けてあり、この引戸側垂直軸３７には、連結アーム連動部３９が垂直軸周りを回動自在に連結してある。
連結アーム連動部３９は、引戸側垂直軸３７から戸先側に突設して設けてあり、室外側及び室内側に突設する蹴り出しアーム側水平軸部４１を備えている。
【００１４】
図４（ｂ）（ｄ）に示すように、連結アーム２５の各アーム板２５ｃ、２５ｃは、先端部２５ｂに上下方向の長孔４３を有しており、２枚の連結アーム板２５ｃ、２５ｃで連結アーム連動部３９を挟むと共に各長孔４３には、各々水平軸部４１が長孔４３内を移動自在に係合してある。
【００１５】
ここで、蹴り出しアーム２３の戸尻側垂直軸３５と引戸側端部３４と、折戸回動軸１７の位置関係について説明する。
図１（ａ）に示すように、戸５が閉じ状態にあるときに、蹴り出しアーム２３の戸尻側垂直軸３５は、折戸回動軸１７よりも間隔Ｍで示すように折戸回動軸１７よりも戸尻側に位置している。更に、蹴り出しアーム２３の戸尻側垂直軸３５は、間隔Ｎで示すように引戸側端部３４よりも室内側に位置している。
【００１６】
次に、建具１の開閉操作及び作用効果について説明する。
図４（ａ）（ｂ）に示すように、戸５の閉じ状態からハンドル２１を面内方向で戸尻側に回動すると、ハンドル２１の回動に伴ってハンドル水平軸２７が回動して、ハンドル水平軸２７に基端部２５ａが固定してある連結アーム２５の先端部２５ｂが矢印Ｓ（図４（ｂ）参照）で示すように戸尻側に向けて回動する。
これにより、連結アーム２５の先端部２５ｂに連結してある蹴り出しアーム２３の引戸側端部３４に、図４（ａ）に示すように、戸尻側方向のベクトルＥが作用する。
引戸側端部３４に作用するベクトルＥは、蹴り出しアーム２３を介して戸尻側垂直軸３５にも同じベクトルＥが作用するが、戸先側折戸7ａには、ベクトルＥの分力Ｅ１が折戸回動軸１７を中心として回転ベクトルとして作用し、戸先側折戸７ａが折戸回動軸１７を中心に回転する。
このようにして、閉じ状態にある折戸７の開きアシストをハンドル２１で操作できる。
更に、ハンドル２１を回動していくと、ベクトルＥにより、図１（ｂ）に示すように引戸９が戸尻方向に移動すると共に、折戸７では、戸先側折戸７ａには折戸回動軸１７を中心とする回転ベクトルＥ１（図４（ａ）参照）により、戸先側折戸７ａが更に室内側へ向けて回動する。
そして、図５（ｃ）及び図１（ｃ）に示すように、開き切る。
【００１７】
図１（ｃ）及び図５（ｃ）に示すように、開き切り状態にある戸５を閉じるときには、上述した開き操作と逆にハンドル２１を操作する。
即ち、図４（ｃ）（ｄ）に示す開状態において、ハンドル２１を戸先側へ回動すると、連結アーム２５は矢印Ｔ（図４（ｄ）参照）で示すように戸先側へ回動し、これにより、図４（ｃ）に示すように、引戸側端部３４にベクトルＦが作用し、戸尻側垂直軸３５には反力のベクトルＦ２が作用し、その分力Ｆ１が折戸回動軸１７を中心にした室外方向の回転ベクトルとして作用し、戸先側折戸７ａを室外側へ向けて回動する。
更に、ハンドル２１をＴ方向に回動すると、引戸９をベクトルＦで閉じ方向移動すると共に、戸先側折戸７ａをベクトルＦ１で室外側へ回動し、図１（ａ）及び図５（ａ）に示す閉じ切り状態になる。このとき、図５（ａ）に示すように、ローララッチ２２とローララッチガイド２４とが係合する。
【００１８】
第１実施の形態によれば、蹴り出し機構１１の蹴り出しアーム２３の戸尻側垂直軸３５が、折戸回動軸１７よりも戸尻側に位置して折戸７に取り付けてあるので、ハンドル２１を戸尻側に動かしたときに、蹴り出しアーム２３の引戸側端部３４を戸尻側に押すことで、折戸７を室内側に回動させるので、折戸７の開きアシストをハンドル２１で操作できる。
これにより、閉じ状態にある戸５を開くときには、ハンドル２１を戸尻側に向けて回動する力のみで折戸７を室内側に回動できるから、ハンドル２１を面内方向に動かす操作のみで折戸７を折り畳むことができ、使い勝手が良い。
開状態にある戸５を閉じるときには、ハンドル２１を戸先側に回動することで、蹴り出しアーム２３の引戸側端部３４を戸先側に引いて折戸７を室外側に回動できるので、折戸７の折り畳みを戻して閉じ切ることをハンドル２１で操作できる。
ハンドル２１の操作は、引戸９の移動方向と一致した方向であるから、操作しやすい。
【００１９】
蹴り出しアーム２３は平面視「へ」の字形状としてあるので、戸先側折戸７ａが折戸回動軸１７を中心として回動したときに、蹴り出しアーム２３が戸先側折戸７ａと干渉するのを防止できる。
蹴り出しアーム２３の引戸側端部３４と戸尻側垂直軸３５とは、室内側でＮずれた位置にあるから、引戸側端部３４に作用するベクトルＥを戸尻側垂直軸３５に回転ベクトルＥ１として作用し易い。
戸５が閉じ状態にあるときには、連結アーム２５は収納ボックス３１に収納してあるので、ハンドル２１を操作して連結アーム２５が傾動したときに指等が挟まれるのを防止できる。
【００２０】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図６〜８を参照して第２実施の形態にかかる建具１を説明する。第２実施の形態にかかる建具１では、図６に示すように、蹴り出しアーム２３、連結アーム２５及びこれらの連結部分や固定部分をカバーで覆うものである。
即ち、図６（ｃ）に示すように、引戸９の戸尻側部２９には、収納ボックス３１から突出する連結アーム２５の先端部２５ｂ及び蹴り出しアーム２３の引戸側部分を覆う引戸側カバー５１が取り付けてあり、戸先側折戸７ａには、蹴り出しアーム２３の折戸側と軸取付金具４０とを覆う折戸側カバー５３が設けてある。これらの引戸側カバー５１と折戸側カバー５３とでハンドル２１を除く蹴り出し機構１１の全体を覆っている。
図６（ｃ）及び図７に示すように、引戸側カバー５１は連結アーム側部５５と折戸側部５７が開口してあり、上面５１ａ、下面５１ｂ、側面５１ｃとで全体を袋状にしている。
図６（ｃ）及び図８に示すように、折戸側カバー５３は、折戸側部５９と戸先側部６１を開口にしてあり、上面５３ａ、下面５３ｂ、側面５３ｃとで全体を袋状にしている。
図６（ａ）（ｂ）（ｄ）に示すように、折戸側カバー５３は内部に引戸側カバー５１を収納可能な寸法にしてあり、図６（ａ）（ｂ）に示すように、戸５が閉じ状態にあるときには折戸側カバー５３は引戸側カバー５１を呑み込んでいる。
この第２実施の形態では、その他の構成は、第１実施の形態と略同一である。
この第２実施の形態によれば、上述した第１実施の形態と同様の作用効果を奏すると共に、引戸側カバー５１と折戸側カバー５３でハンドル２１を除く蹴り出し機構１１を覆っているので、連結アーム２５や蹴り出しアーム２３等に手等が触れて傷付いたり、指を挟むことを防止できる。
また、カバーを引戸側カバー５１と折戸側カバー５３とで構成し、折戸側カバー５３に引戸側カバー５１を呑み込み構成としているので、戸５の閉状態、開状態及び開閉動作時にもハンドル２１を除く蹴り出し機構１１全体を覆うことができる。
【００２１】
本発明は、上述した実施の形態に限らず、本発明の要旨を逸脱しない範囲で種々変形可能である。
例えば、建具１は、浴室戸に限らず、間仕切りやウォーキングクローゼット戸等であっても良い。
上述した実施の形態において、蹴り出しアーム２３の戸尻側垂直軸３５は、引戸側端部３４よりも室内側に位置することに限らず、室内外方向の同じ位置にあっても良い。
連結アーム２５は設けないで、ハンドル２１は水平方向に移動するハンドルを用い、蹴り出しアーム２３の引戸側端部３４をこのハンドルと一体又は一体的に設けた部分で押したり、連動するようにしても良い。
請求項１に記載の発明では、連結アーム２５の先端部２５ｂと蹴り出しアーム２３の引戸側端部３４は連結せずに、連結アーム２５の先端部２５ｂが蹴り出しアーム２３の引戸側端部３４を押すことで、折戸７を折り畳むものであって良い。また、連結アーム２５を設けないで、ハンドル２１が蹴り出しアーム２３の引戸側端部３４を直接押すようにしても良い。この場合、戸５を閉じるときには、ハンドル２１の操作により蹴り出しアーム２３には戸先側引戸７ａを室外側へ回動するアシストはしないが、戸先側引戸７ａを戸先側へ引くことにより、戸５を閉じることができる。
【符号の説明】
【００２２】
１    建具
７    折戸
９    引戸
１１  蹴り出し機構
１７  折戸回動軸
２１  ハンドル
２３  蹴り出しアーム
３４  引戸側端部
３５  戸尻側垂直軸
【図１】
2015105474.tif 000003
【図２】
2015105474.tif 000004
【図３】
2015105474.tif 000005
【図４】
2015105474.tif 000006
【図５】
2015105474.tif 000007
【図６】
2015105474.tif 000008
【図７】
2015105474.tif 000009
【図８】
2015105474.tif 000010
【図９】
2015105474.tif 000011